(57)【要約】【課題】絵の描画を支援する絵画支援システム、絵画支援データ作成プログラム、及び絵画支援データを提供する。【解決手段】絵画支援システムは、頭部に装着される支持部に取り付けられる撮影装置と、参考画像を含む元画像の虚像３０を形成する虚像形成部と、撮影装置の撮影画像から指定領域を認識し、指定領域に対応する対象物４と元画像における参考画像の虚像３０Ａの少なくとも一部とが重なっているように視覚できるように、元画像を形成する制御部とを備える。【選択図】図５
2020013200.tif 000002
【特許請求の範囲】
【請求項１】
頭部に装着される支持部に取り付けられる撮影装置と、
参考画像を含む元画像の虚像を形成する虚像形成部と、
前記撮影装置の撮影画像から指定領域を認識し、前記指定領域に対応する対象物と前記元画像における参考画像の虚像の少なくとも一部とが重なっているように視覚できるように、前記元画像を形成する制御部とを備える
絵画支援システム。
【請求項２】
前記元画像は、前記参考画像と、絵画支援情報を含む絵画支援画像とを含む
請求項１に記載の絵画支援システム。
【請求項３】
前記制御部は、前記参考画像と、前記絵画支援画像とを、独立したデータとして取得し、前記参考画像と、前記絵画支援画像とに基づいて、前記元画像を形成する
請求項２に記載の絵画支援システム。
【請求項４】
前記制御部は、前記絵画支援画像および前記参考画像を含む前記元画像を連続的に形成し、動画として認識可能に前記参考画像の虚像を形成する
請求項２または３に記載の絵画支援システム。
【請求項５】
前記制御部は、前記参考画像を含む前記元画像を連続的に形成し、動画として認識可能に前記参考画像の虚像を形成する
請求項１に記載の絵画支援システム。
【請求項６】
前記制御部は、前記撮影装置が予め設定されている印を認識することに基づいて、前記元画像の形成および出力を制御する
請求項１〜５のいずれか一項に記載の絵画支援システム。
【請求項７】
コンピュータを動作させる絵画支援データ作成プログラムであって、
コンピュータに、参考画像と、絵画支援情報を含む絵画支援画像とを、独立したデータとして取得させて、前記参考画像と、前記絵画支援画像とに基づいて、元画像を形成させる
絵画支援データ作成プログラム。
【請求項８】
請求項１に記載の絵画支援システムに用いられるデータ群であって、
複数の前記参考画像を含み、
前記参考画像は、前記絵画支援システムによって虚像を形成するための画像処理がなされる順を示す順番情報を含む
絵画支援データ。
【請求項９】
請求項２〜４のいずれか一項に記載の絵画支援システムに用いられるデータ群であって、
複数の前記参考画像と複数の絵画支援画像とを含み、
前記参考画像は、前記絵画支援システムによって虚像を形成するための画像処理がなされる順を示す順番情報を含み、
前記絵画支援画像は、複数の前記参考画像の少なくとも１つと合成されることを示すリンク先画像情報を含む
絵画支援データ。
【請求項１０】
請求項２〜４のいずれか一項に記載の絵画支援システムに用いられるデータ群であって、
複数の前記絵画支援画像を含み、
前記絵画支援画像は、少なくとも１つの検索可能化情報を含む
絵画支援データ。
【発明の詳細な説明】
【技術分野】
【０００１】
本発明は、絵の描画を支援する絵画支援システム、絵画支援データ作成プログラムおよび絵画支援データに関する。
【背景技術】
【０００２】
特許文献１には、ヘッドマウントディスプレイを使って文字の書き方を学習するシステムが開示されている。
【先行技術文献】
【特許文献】
【０００３】
【特許文献１】特開２０１７−１６７２７５号公報
【発明の概要】
【発明が解決しようとする課題】
【０００４】
ところで、絵の描画を支援するシステムは知られていない。そこで、絵の描画を支援する絵画支援システム、絵画支援データ作成プログラム、及び絵画支援データを提供する。
【課題を解決するための手段】
【０００５】
（１）上記課題を解決する絵画支援システムは、頭部に装着される支持部に取り付けられる撮影装置と、参考画像を含む元画像の虚像を形成する虚像形成部と、前記撮影装置の撮影画像から指定領域を認識し、前記指定領域に対応する対象物と前記元画像における参考画像の虚像の少なくとも一部とが重なっているように視覚できるように、前記元画像を形成する制御部とを備える。この構成によれば、使用者に、所定の対象物に重なるように参考画像の虚像を視覚させることができる。これによって、使用者は、視野に形成される参考画像の虚像を見ながら、キャンバスに絵を描くことができる。
【０００６】
（２）上記絵画支援システムにおいて、前記元画像は、前記参考画像と、絵画支援情報を含む絵画支援画像とを含む。この構成によれば、使用者に、絵を描いている最中に、絵画支援情報を提供できる。
【０００７】
（３）上記絵画支援システムにおいて、前記制御部は、前記参考画像と、前記絵画支援画像とを、独立したデータとして取得し、前記参考画像と、前記絵画支援画像とに基づいて、前記元画像を形成する。この構成によれば、所定の絵画支援画像を、任意に選択される参考画像に結びつけることができる。
【０００８】
（４）上記絵画支援システムにおいて、前記制御部は、前記絵画支援画像および前記参考画像を含む前記元画像を連続的に形成し、動画として認識可能に前記参考画像の虚像を形成する。この構成によれば、絵画支援画像および参考画像を含む元画像の動画の虚像を見せることができる。
【０００９】
（５）上記絵画支援システムにおいて、前記制御部は、前記参考画像を含む前記元画像を連続的に形成し、動画として認識可能に前記参考画像の虚像を形成する。この構成によれば、参考画像を含む元画像の動画の虚像を見せることができる。
【００１０】
（６）上記絵画支援システムにおいて、前記制御部は、前記撮影装置が予め設定されている印を認識することに基づいて、前記元画像の形成および出力を制御する。この構成によれば、手で操作するような操作装置を用いずとも、元画像に基づく虚像の出力を操作することが出来る。
【００１１】
（７）上記課題を解決する絵画支援データ作成プログラムは、コンピュータを動作させる絵画支援データ作成プログラムであって、コンピュータに、参考画像と、絵画支援情報を含む絵画支援画像とを、独立したデータとして取得させて、前記参考画像と、前記絵画支援画像とに基づいて、元画像を形成させる。この構成によれば、簡単に、参考画像と絵画支援画像とを含む元画像を形成できる。
【００１２】
（８）上記課題を解決する絵画支援データは、上記の絵画支援システムに用いられるデータ群であって、複数の前記参考画像を含み、前記参考画像は、前記絵画支援システムによって虚像を形成するための画像処理がなされる順を示す順番情報を含む。この構成によれば、使用者は、参考画像を所定の順に視覚できる。
【００１３】
（９）上記課題を解決する絵画支援データは、上記の絵画支援システムに用いられるデータ群であって、複数の前記参考画像と複数の絵画支援画像とを含み、前記参考画像は、前記絵画支援システムによって虚像を形成するための画像処理がなされる順を示す順番情報を含み、前記絵画支援画像は、複数の前記参考画像の少なくとも１つと合成されることを示すリンク先画像情報を含む。この構成によれば、参考画像に、様々な絵画支援画像を簡単に関連付けできる。
【００１４】
（１０）上記課題を解決する絵画支援データは、上記の絵画支援システムに用いられるデータ群であって、複数の前記絵画支援画像を含み、前記絵画支援画像は、少なくとも１つの検索可能化情報を含む。この構成によれば、使用者は、簡単に、絵画に関する情報を得ることができる。
【発明の効果】
【００１５】
絵画支援システム、絵画支援データ作成プログラム、及び絵画支援データによれば、絵の描画を支援できる。
【図面の簡単な説明】
【００１６】
【図１】絵画支援システムの使用態様を示す図。
【図２】使用者が視覚する、対象物および虚像の図。
【図３】絵画支援システムのブロック図。
【図４】元画像の一例を示す図。
【図５】使用者が視覚する、対象物および虚像の図。
【図６】図６（ａ）は、絵画支援画像の一例を示す図、図６（ｂ）は、絵画支援画像の他の例を示す図。
【図７】図７（ａ）は、絵画支援画像の一例を示す図、図７（ｂ）は、絵画支援画像の他の例を示す図。
【図８】参考画像のデータ構造を示す図。
【図９】図９（ａ）は、絵画支援データの第１の参考画像を示す図、図９（ｂ）は、絵画支援データの第２の参考画像を示す図、図９（ｃ）は、絵画支援データの第３の参考画像を示す図。
【図１０】図１０（ａ）は、絵画支援データの第１の参考画像を示す図、図１０（ｂ）は、絵画支援データの第２の参考画像を示す図、図１０（ｃ）は、絵画支援データの第３の参考画像を示す図。
【図１１】操作装置の表示画面を示す図。
【図１２】操作装置の表示画面を示す図。
【図１３】絵画支援画像のデータ構造を示す図。
【図１４】絵画支援画像のデータ構造を示す図。
【発明を実施するための形態】
【００１７】
＜第１実施形態＞
本実施形態に係る絵画支援システムについて説明する。
絵画支援システム１は、絵画支援システム１を使用する者（以下、「使用者」）の視界に、後述の元画像２０の虚像を形成する。
【００１８】
図１に示されるように、絵画支援システム１は、例えば、ヘッドマウントディスプレイ、またはメガネ型ディスプレイとして構成される。使用者は、絵画支援システム１を使用することによって、元画像２０の虚像３０を視覚することが出来る。図１は、使用者が、絵画支援システム１を使用して、絵を描く様子を示す。図２は、絵画支援システム１を使用する使用者２が視覚している視覚対象を示す。この例では、使用者２は、現実に存在するキャンバス３と、絵画支援システム１によって形成された参考画像２１の虚像３０Ａとを視覚対象として視覚している。
【００１９】
図３に示されるように、絵画支援システム１は、撮影装置１０と、虚像形成部１１と、記憶部１２と、制御部１３とを備える。好ましくは、撮影装置１０は、支持部１４を介して使用者２の頭部に配置される。支持部１４は、頭部に装着される。支持部１４は、撮影装置１０を支持する。撮影装置１０は、支持部１４に取り付けられる。撮影装置１０は、支持部１４が使用者２の頭部に装着されたときに、使用者２の視界と同じところを撮影するように支持部１４に固定される。撮影装置１０の撮影領域は、使用者２の視野の少なくとも中央部分を含むことが好ましい。
【００２０】
元画像２０および参考画像２１は、記憶部１２に記憶される。記憶部１２は、半導体メモリにより構成される。記憶部１２は、支持部１４に設けられることが好ましい。記憶部１２は、絵画支援システム１と無線または有線で接続される装置であってもよい。記憶部１２は、インターネット上のサーバであってもよい。記憶部１２は、さらに、後述の絵画支援画像２２を記憶してもよい。
【００２１】
虚像形成部１１は、支持部１４に固定される。虚像形成部１１は、元画像２０に基づいて虚像３０を形成する。虚像形成部１１は、右目用の第１画像出力装置（図示略）と、左目用の第２画像出力装置（図示略）とを備える。虚像形成部１１は、第１画像出力装置から出力される右目用画像を右目に導き、かつ第２画像出力装置から出力される左目用画像を左目に導くことによって、使用者２に元画像２０の虚像３０を視覚させる。本実施形態において「元画像２０に基づいて虚像３０を形成する」とは、元画像２０に基づいて右目用画像および左目用画像を形成することを意味する。
【００２２】
元画像２０は、少なくとも参考画像２１を含む。参考画像２１は、使用者２によって選択される画像である。参考画像２１は、使用人が描く対象の画像である。参考画像２１の例として、風景の画像、モデルの画像、静物の画像、および、動物の画像が挙げられる。
【００２３】
虚像形成部１１は、制御部１３から元画像２０を取得する。虚像形成部１１は、元画像２０を受け取る都度、元画像２０の虚像３０を形成する。したがって、使用者２は、元画像２０の虚像３０を連続的に視覚できる。元画像２０において、参考画像２１以外の部分は透明である。元画像２０において参考画像２１の位置は、後述のように、制御部１３によって制御される。
【００２４】
制御部１３は、撮影装置１０の撮影画像１５から指定領域１５Ａを認識する（図１参照）。指定領域１５Ａは、対象物４の画像である。対象物４は、使用者２によって予め設定される。対象物４は、使用者２が虚像３０を見るときに、虚像３０が重ねられる対象となる物である。対象物４は、特に限定されない。例えば、対象物４は、絵が描かれるキャンバス３、または、キャンバス３の近くにある壁またはスクリーンである。
【００２５】
指定領域１５Ａの認識方法は限定されない。例えば、キャンバス３が対象物４に指定される場合、キャンバス３の４つの角部それぞれに被検出体５が設けられる。制御部１３は、撮影画像１５の画像処理によって被検出体５を抽出して、被検出体５によって囲まれる領域を指定領域１５Ａとして認識する。被検出体５は、例えば、真球に近い球である。球の撮影画像１５は、撮影方向に関係なく円形である。このため、被検出体５の誤認識を抑制できる。
【００２６】
制御部１３は、指定領域１５Ａに対応する対象物４と参考画像２１の虚像３０の少なくとも一部とが重なっていると視覚できるように、元画像２０を形成する。例えば、制御部１３は、元画像２０の形成を次のようにして行う。制御部１３は、撮影画像１５における指定領域１５Ａの位置座標を算出する。そして、制御部１３は、指定領域１５Ａの位置座標を通る視線の延長線上に参考画像２１の虚像３０Ａが形成されるように、元画像２０における参考画像２１の位置を決定する。さらに、制御部１３は、指定領域１５Ａの形状に合致するように、参考画像２１の形状を変形させる。例えば、対象物４に対して使用者２が移動すると、対象物４の見え方が変わり、正面視で矩形であったものが、平行四辺形に変形する。このような場合に、制御部１３は、変換によって、参考画像２１を指定領域１５Ａの形状に合致するように変形する。そして、制御部１３は、元画像２０の透明フレームワーク上において決定された位置に変形加工した参考画像２１を重ねることによって、元画像２０を形成する。
【００２７】
さらに、参考画像２１の虚像３０Ａの位置は、キャリブレーション装置の操作に基づいて位置調整可能であることが好ましい。キャリブレーション装置は、使用者２によって操作される。使用者２は、対象物４と虚像３０Ａとを見ながら、キャリブレーション装置を操作することによって、虚像３０Ａの位置を調整できる。キャリブレーション装置は、使用者２によって操作される操作部を備える。キャリブレーション装置は、操作部に入力された操作情報を制御部１３に出力する。制御部１３は、キャリブレーション装置から出力される操作情報に基づいて、元画像２０における指定領域１５Ａに対する参考画像２１の相対位置および相対的な角度を調整する。
【００２８】
制御部１３は、他の情報機器との通信によって参考画像２１を取得し、参考画像２１を記憶部１２に記憶する。使用者２は、任意の参考画像２１を絵画支援システム１に入力できる。例えば、使用者２は、自分で撮影した撮影画像１５、著作権フリーとなった画像、市販されている画像を、参考画像２１として絵画支援システム１に入力できる。使用者２は、絵が描き易いように加工された画像を参考画像２１として用いることができる。
【００２９】
図４は、元画像２０の一例である。元画像２０は、絵画用の参考画像２１を含む。図４に示される参考画像２１は、顔および頭髪の輪郭のみが残された画像である。絵画支援システム１にこのような参考画像２１を入力し、対象物４をキャンバス３に設定すると、使用者２は、キャンバス３上に参考画像２１の虚像３０Ａを視覚することができる。使用者２は、キャンバス３上に参考画像２１の虚像３０Ａの輪郭をなぞることによって、参考画像２１と同じ絵を描くことができる。
【００３０】
好ましくは、元画像２０は、参考画像２１と、絵画支援情報を含む絵画支援画像２２とを含む。絵画支援画像２２は、絵画の進捗にあった絵画のアドバイス情報、各種の絵画の技法を説明する情報、絵画の参考例の情報、色に関する情報、絵具に関する情報、キャンバス３に関する情報、筆やナイフ等のツールに関する情報、少なくとも１つを含む。元画像２０において、絵画支援画像２２は、参考画像２１と重ならないところに配置される。
【００３１】
図５は、絵画支援システム１が、参考画像２１と絵画支援画像２２とを含む元画像２０の虚像を形成しているとき、使用者２が視覚できる視覚対象を示す。使用者２は、キャンバス３に重ねられた参考画像２１の虚像３０Ａと、キャンバス３から離れた位置に表示される絵画支援画像２２の虚像３０Ｂとを視覚できる。この例では、参考画像２１とともに、絵画の初期段階におけるアドバイス情報が表示されている。
【００３２】
図６には、絵画支援画像２２の例が示されている。図６（ａ）は、アドバイス情報を含む絵画支援画像２２の一例である。図６（ｂ）は、アドバイス情報を含む絵画支援画像２２の他の例である。
【００３３】
図７には、他の絵画支援画像２２の例が示されている。図７（ａ）は、油絵の技法である、グレージングを説明する絵画支援画像２２である。図７（ｂ）は、油絵の技法である、インパストを説明する絵画支援画像２２である。
【００３４】
以下、本実施形態の作用を説明する。絵画支援システム１は、視覚の範囲に参考画像２１の虚像３０Ａとして形成するため、使用者２は、虚像３０Ａを見ながら、絵を描くことができる。絵画支援システム１において使用者２は、参考画像２１を任意に変更できるため、使用者２は、自分の好みの画像を参考画像２１として用いることができる。
【００３５】
以下、本実施形態の効果を説明する。
（１）制御部１３は、撮影装置１０の撮影画像１５から指定領域１５Ａを認識し、指定領域１５Ａに対応する対象物４と元画像２０における参考画像２１の虚像３０Ａの少なくとも一部とが重なっているように視覚できるように、元画像２０を形成する。この構成によれば、使用者２に、所定の対象物４に重なっているように参考画像２１の虚像３０Ａを視覚させることができる。これによって、使用者２は、視野に形成される参考画像２１の虚像３０Ａを見ながら、キャンバス３に絵を描くことができる。
【００３６】
（２）元画像２０は、参考画像２１と、絵画支援情報を含む絵画支援画像２２とを含む。この構成によれば、使用者に、絵を描いている最中に、絵画支援情報を提供できる。使用者２は、参考画像２１と絵画支援画像２２とを同時に視覚できるため、絵を描きながら、絵画に役だつ情報を得ることができる。
【００３７】
（３）制御部１３は、参考画像２１と、絵画支援画像２２とを、独立したデータとして取得してもよい。この場合、制御部１３は、参考画像２１と絵画支援画像２２とに基づいて、元画像２０を形成する。
【００３８】
参考画像２１とともに絵画支援画像２２を使用者２に視覚させるためには、参考画像２１と絵画支援画像２２とを含む元画像２０を形成する必要がある。元画像２０の数が多いと、元画像２０の全部を形成するのは手間である。この点、上記構成によれば、所定の絵画支援画像２２を、任意に選択される参考画像２１に結びつけることができる。これによって、元画像２０の形成作業を軽減できる。
【００３９】
（４）参考画像２１と絵画支援画像２２との合成は、プログラムで行ってもよい。例えば、絵画支援データ作成プログラムは、コンピュータに、参考画像２１と、絵画支援情報を含む絵画支援画像２２とを、独立したデータとして取得させて、参考画像２１と、絵画支援画像２２とに基づいて、元画像２０を形成させる。この構成によれば、簡単に、参考画像２１と絵画支援画像２２とを含む元画像２０を形成できる。
【００４０】
例えば、絵画支援データ作成プログラムは、パーソナルコンピュータ、スマートフォン等のコンピュータにインストールされる。絵画支援データ作成プログラムは、コンピュータに、使用者２の操作によって選択された参考画像２１と、使用者２の操作によって選択された絵画支援画像２２とに基づいて元画像２０を形成させる。絵画支援データ作成プログラムは、コンピュータに、元画像２０を形成させる際、参考画像２１と重ならない位置に絵画支援画像２２を配置させる。このような絵画支援データ作成プログラムによれば、元画像２０の形成が簡単である。絵画支援データ作成プログラムは、取得した画像から、当該画像に含まれる物の輪郭だけを抽出する機能を備えてもよい。
【００４１】
＜第２実施形態＞
第２実施形態に係る絵画支援システム１および絵画支援データについて説明する。第１実施形態と共通する構成については説明を省略し、第１実施形態と異なる構成について説明する。第１実施形態と共通する構成については同一の符号を付す。
【００４２】
絵画支援システム１は、絵画支援データを処理して、使用者２の絵画を支援する。絵画支援データは、絵画支援システム１に用いられるデータ群である。具体的には、絵画支援データは、複数の参考画像２１を含む。
【００４３】
図８に示されるように、これらの参考画像２１は、順番情報を含む。具体的には、参考画像２１は、参考画像２１のデータである参考画像データと、順番情報とを含む。順番情報は、虚像３０を形成するための画像処理がなされる順を示す。虚像３０を形成するための画像処理とは、元画像２０に基づいて虚像３０を形成する処理を示す。例えば、絵画支援システム１は、順番情報の順に、参考画像２１に基づいて元画像２０を形成し、元画像２０を形成した順に、元画像２０の虚像３０を形成する。または、絵画支援システム１は、複数の参考画像２１それぞれに対応する元画像を形成し、複数の元画像を一時的に保存し、その後、参考画像２１の順番情報の順に、元画像２０に基づいて虚像３０を形成してもよい。
【００４４】
図９は、絵画支援データの第１の例である。絵画支援データは、第１の参考画像２１Ａから第３の参考画像２１Ｃを含む。
図９（ａ）の第１の参考画像２１Ａは、絵画支援システム１によって第１番目に画像処理される。第１の参考画像２１Ａは、順番情報として「１」を有する。第１の参考画像２１Ａは、輪郭を描くときに第１番目に描画する線を示し、当該描画する線の参考例を示す。図９（ｂ）の第２の参考画像２１Ｂは、絵画支援システム１によって第２番目に画像処理される。第２の参考画像２１Ｂは、順番情報として「２」を有する。第２の参考画像２１Ｂは、輪郭を描くときに第２番目に描画する線を示し、当該描画する線の参考例を示す。図９（ｃ）の第３の参考画像２１Ｃは、絵画支援システム１によって第３番目に画像処理される。第３の参考画像２１Ｃは、順番情報として「３」を有する。第３の参考画像２１Ｃは、輪郭を描くときに第３番目に描画する線を示し、当該描画する線の参考例を示す。なお、図９の説明において、「画像処理」とは、虚像３０を形成するための処理を意味する。図９に示される絵画支援データを使用することによって、使用者２は、輪郭の描画の方法を学ぶことができる。
【００４５】
図１０は、絵画支援データの第２の例である。絵画支援データは、第１の参考画像２１Ｄから第３の参考画像２１Ｆを含む。図１０（ａ）の第１の参考画像２１Ｄは、絵画支援システム１によって第１番目に画像処理される。第１の参考画像２１Ｄは、順番情報として「１」を有する。第１の参考画像２１Ｄは、輪郭が描かれた図において、第１番目に色づけする色づけ領域を含む。色づけ領域は、太線で囲まれている。図１０（ｂ）の第２の参考画像２１Ｅは、絵画支援システム１によって第２番目に画像処理される。第２の参考画像２１Ｅは、順番情報として「２」を有する。第２の参考画像２１Ｅは、輪郭が描かれた図において、第１番目で指定した領域を色付けした参考例の画像である。図１０（ｃ）の第３の参考画像２１Ｆは、絵画支援システム１によって第３番目に画像処理される。第３の参考画像２１Ｆは、順番情報として「３」を有する。第３の参考画像２１Ｆは、輪郭が描かれた図において、第２番目に色づけする色づけ領域を含む。色づけ領域は、太線で囲まれている。なお、図１０の説明において、「画像処理」とは、虚像３０を形成するための処理を意味する。図１０に示される絵画支援データを使用することによって、使用者２は、色付け方法の一例を学ぶことができる。
【００４６】
絵画支援システム１は、好ましくは、元画像２０の切り替えるための操作装置１６を含む。絵画支援システム１は、操作装置１６の指示を受ける通信部を備えることが好ましい。操作装置１６は、通信によって制御部１３に接続可能であることが好ましい。
【００４７】
操作装置１６は、例えば、絵画支援システム１専用の装置として構成されてもよいし、通信可能なコンピュータによって構成されてもよい。コンピュータとして、スマートフォン、携帯電話、またはパーソナルコンピュータが挙げられる。コンピュータが操作装置１６として構成される場合、コンピュータに、操作用のアプリケーションがインストールされる。
【００４８】
図１１に示されるように、操作装置１６の表示画面１７には、制御部１３が画像処理するべき元画像２０を切り替えるスイッチのアイコンが表示される。表示画面１７は、タッチパネルを含む。例えば、表示画面１７には、元画像２０の画像処理を次の元画像２０の画像処理に進める前進スイッチ１８Ａと、元画像２０の画像処理を１つ前の元画像２０の画像処理に戻す後進スイッチ１８Ｂとを含む。これによって、使用者２は、任意の参考画像２１を選択できる。
【００４９】
図１２に示されるように、操作装置１６の表示画面１７には、複数の参考画像２１が表示されてもよい。または、操作装置１６の表示画面１７には、参考画像２１が１つずつ表示されてもよい。また、操作装置１６の表示画面１７において、個々の参考画像２１には、当該参考画像２１の順番情報が表示される。参考画像２１は、操作装置１６の表示画面１７を介して使用者２によって選択可能とされる。参考画像２１が選択されることによって、操作装置１６は、制御部１３が選択された参考画像２１を画像処理する指令信号を出力する。さらに、操作装置１６の表示画面１７には、虚像３０を使用者２に見せなくするための非表示アイコンが表示されてもよい。使用者２が非表示アイコンを選択すると、操作装置１６は、虚像３０を作る画像処理を行わせない指令信号を出力する。使用者２は、操作装置１６を介して参考画像２１または非表示アイコンを選択できる。これによって、使用者２は、自身の描画の進行状態にあった参考画像２１の虚像３０Ａを参考しつつ、絵を描くことができる。また、参考画像２１を見ずに描画したいときには、参考画像２１の虚像３０Ａを消すことができる。
【００５０】
本実施形態の効果を説明する。
絵画支援データは、絵画支援システム１に用いられるデータ群であって、複数の参考画像２１を含む。参考画像２１は順番情報を含む。この構成によって、絵画支援システム１は、順番情報に基づいて所定の順に、元画像２０の虚像３０を形成する。これにより、使用者２は、参考画像２１を所定の順に視覚できる。
【００５１】
＜第３実施形態＞
絵画支援データの他の例について説明する。絵画支援データは、次のように構成され得る。
【００５２】
絵画支援データは、絵画支援システム１に用いられるデータ群であって、複数の参考画像２１と複数の絵画支援画像２２とを含む。参考画像２１は、順番情報を含む。順番情報は、絵画支援システム１によって元画像２０を形成するための画像処理がなされる順を示す。
【００５３】
図１３に示されるように、絵画支援画像２２は、リンク先画像情報を含む。具体的には、絵画支援画像２２は、絵画支援画像２２のデータである絵画支援画像２２データと、リンク先画像情報とを含む。リンク先画像情報は、複数の参考画像２１の少なくとも１つと合成されることを示す。例えば、リンク先画像情報は、参考画像２１に付与されている順番情報である。
【００５４】
絵画支援システム１の制御部１３は、参考画像２１を画像処理するとき、絵画支援データから、当該参考画像２１の順番情報に結合されている絵画支援画像２２を抽出する。そして、参考画像２１と、抽出された絵画支援画像２２とに基づいて元画像２０を形成し、当該元画像２０の虚像３０を形成する。
【００５５】
本実施形態の効果を説明する。
絵画支援データは、複数の参考画像２１と複数の絵画支援画像２２とを含む。参考画像２１は順番情報を含む。絵画支援画像２２は、複数の参考画像２１の少なくとも１つと合成されることを示すリンク先画像情報を含む。このようなデータ構造によれば、参考画像２１に、様々な絵画支援画像２２を簡単に関連付けできる。
【００５６】
＜第４実施形態＞
絵画支援データの他の例について説明する。絵画支援データは、次のように構成され得る。
【００５７】
絵画支援データは、絵画支援システム１に用いられるデータ群であって、複数の絵画支援画像２２を含む。
図１４に示されるように、絵画支援画像２２は、少なくとも１つの検索可能化情報を含む。具体的には、絵画支援画像２２は、絵画支援画像２２のデータである絵画支援画像２２データと、検索可能化情報とを含む。
【００５８】
検索可能化情報は、例えば、絵画支援画像２２の内容を示すキーワードである。キーワードは、絵画支援画像２２の内容からを示すワード、絵画支援画像２２の内容から連想されるワード、これらワードの一部を含む文字列、の少なくとも１つである。絵画支援システム１は、文字列入力装置を備える。文字列入力装置として、例えば、スマートフォンが挙げられる。文字列入力装置は、入力された文字例を制御部１３に送信する。制御部１３は、文字列を受信すると、文字列を含む絵画支援画像２２を抽出する。そして、制御部１３は、抽出された絵画支援画像２２に基づいて元画像２０を形成する。絵画支援画像２２の元画像２０の形成よりも前の時点で、他の元画像２０が形成されている場合、他の元画像２０と、絵画支援画像２２とが合成されることによって、新たな元画像２０が形成される。そして、制御部１３は、新たな元画像２０に基づいて虚像３０を形成する。これによって、使用者２は、検索前に視覚していた虚像３０とともに検索に係る絵画支援画像２２の虚像を視覚できる。
【００５９】
上述のグレージングの場合、グレージングを説明する絵画支援画像２２は、検索可能化情報として、例えば、「グレー」、「透明」、「透明感」、「薄い」、「ｇｒａｚｉｎｇ」、「ｇｒａｚ」、「ｇｒａｓ」等のワードを含む。
【００６０】
本実施形態の効果を説明する。絵画支援データは、複数の絵画支援画像２２を含む。絵画支援画像２２は、少なくとも１つの検索可能化情報を含む。この構成によれば、使用者２は、簡単に、絵画に関する情報を得ることができる。
【００６１】
＜その他の実施形態＞
・絵画支援データは、上記実施形態の例に限定されない。絵画支援データには、参考画像２１および絵画支援画像２２のほか、絵画用商品の広告情報を含み得る。絵画支援画像には、絵画用商品の広告情報の画像を含み得る。
【００６２】
・上記実施形態において参考画像２１は静止画であるが、参考画像２１は、動画の１フレームであってもよい。例えば、複数の参考画像２１は、時間の経過とともに連続的に再生される動画ファイルとして纏められ得る。本技術において、再生とは、複数の参考画像２１を、所定の順に、元画像２０を形成し、元画像２０に基づいて虚像３０を形成することを意味する。動画ファイルにおける複数の参考画像２１それぞれは、部分的に少しずつ相違する。一例の動画ファイルでは、参考画像２１を含む動画の虚像３０において、時間の経過とともに輪郭線が伸びる。また、他の例の動画ファイルでは、虚像３０において、時間の経過とともに、色が表示されている部分が広がっていく。このような動画の虚像３０によれば、使用者は、キャンバス上で、筆の運び方、描画の順序を学ぶことができる。制御部１３は、動画ファイルに基づいて参考画像２１を含む元画像２０を連続的に形成し、動画として認識可能に元画像２０の虚像を連続的に形成する。これによって、使用者に、参考画像２１の動画の虚像３０を見せることができる。
【００６３】
・上記実施形態において上記絵画支援画像２２は静止画であるが、絵画支援画像２２は動画の１フレームであってもよい。例えば、複数の絵画支援画像２２は、時間の経過とともに連続的に再生される動画ファイルとして纏められ得る。動画ファイルにおける複数の絵画支援画像２２のそれぞれは、部分的に少しずつ相違する。一例の動画ファイルでは、絵画支援画像２２を含む動画の虚像３０は、所定の技法の映像である。具体的には、制御部１３は、動画ファイルに基づいて絵画支援画像２２および参考画像２１を含む元画像２０を連続的に形成し、動画として認識可能に元画像２０の虚像を連続的に形成する。これによって、使用者に、参考画像２１および絵画支援画像２２を含む動画の虚像３０を見せることができる。なお、参考画像２１の動画の画像変化の速度は、使用者の描画の速度に近い速度に設定される。
【００６４】
・動画の虚像３０の再生や再生の停止は、使用者の動作によって制御されることが好ましい。例えば、撮影装置１０が所定の「停止の印」を認識したときに、動画が停止する。「停止の印」は、キャンバスの近くであって使用者が絵を描くときには撮影装置１０の撮影範囲に入らないようなところに配置される。例えば、「停止の印」は、使用者の足元や太腿の上に置かれる。使用者は、当該「停止の印」を見ようとする動作によって、撮影装置１０の撮影範囲に「停止の印」が入る。画像認識によって撮影装置１０が「停止の印」を検出するとき、制御部１３は、動画の虚像３０の再生を止める。同様に、画像認識によって撮影装置１０が「再生の印」を画像認識によって検出するとき、制御部１３は、動画の虚像３０を再生する。このような技術によれば、使用者は、筆を置かずに、動作が停止および再生を行うことができる。この技術は、静止画の再生についても適用できる。「停止の印」および「再生の印」は、予め設定された形状である。例えば、「停止の印」は、「Ｓ」、「Ｔ」、「Ｏ」および「Ｐ」からなる文字列である。「再生の印」は、「Ｐ」「Ｌ」「Ａ」「Ｙ」からなる文字列である。
【００６５】
この技術によれば、絵画支援システム１において、制御部１３は、撮影装置１０が予め設定されている印を認識することに基づいて、元画像２０の形成および出力を制御する。この構成によれば、手で操作するような操作装置を用いずとも、元画像２０に基づく虚像３０の出力を操作することが出来る。例えば、顔の向きを変える動作によって動画ファイルに基づく動画の虚像３０の再生を停止したり、再生開始したりできる。
【００６６】
・動画の虚像３０の再生や再生の停止は、制御部１３によって決定されてもよい。制御部１３は、撮影装置１０の撮影画像から筆先の動きおよびキャンバスを検出する。筆先がキャンバスの境域から外れることに基づいて動作の虚像３０の再生を停止し、筆先がキャンバスの領域内で動くことに基づいて動画の虚像３０を再生する。この構成によれば、使用者が集中して描画し続けているとき、動画が描画の進行に合うように再生されるようになり、動画の虚像の内容と自身が描画の進捗状態との乖離が抑制される。このようにして、動画の虚像の再生操作および停止操作の煩わしさを低減できる。
【００６７】
・本実施形態の技術およびその他の実施形態に示した技術は、絵画の学習のほか、様々な技能の習得の際に用いることができる。例えば、彫刻、書道、陶芸、洋裁、和裁、編み物、お茶、お花、調理の学習において、動作している最中や動作していないときにも、使用者に、様々な情報を視覚上で見せることができる。彫刻の場合、使用者に、彫刻の技法を彫刻支援画像の虚像を見せることができる。
【符号の説明】
【００６８】
１…絵画支援システム、３…キャンバス、４…対象物、５…被検出体、１０…撮影装置、１１…虚像形成部、１２…記憶部、１３…制御部、１４…支持部、１５…撮影画像、１５Ａ…指定領域、１６…操作装置、１７…表示画面、１８Ａ…前進スイッチ、１８Ｂ…後進スイッチ、２０…元画像、２１…参考画像、２１Ａ…第１の参考画像、２１Ｂ…第２の参考画像、２１Ｃ…第３の参考画像、２１Ｄ…第１の参考画像、２１Ｅ…第２の参考画像、２１Ｆ…第３の参考画像、２２…絵画支援画像、３０…虚像、３０Ａ…虚像、３０Ｂ…虚像。
【図１】
2020013200.tif 000003
【図２】
2020013200.tif 000004
【図３】
2020013200.tif 000005
【図４】
2020013200.tif 000006
【図５】
2020013200.tif 000007
【図６】
2020013200.tif 000008
【図７】
2020013200.tif 000009
【図８】
2020013200.tif 000010
【図９】
2020013200.tif 000011
【図１０】
2020013200.tif 000012
【図１１】
2020013200.tif 000013
【図１２】
2020013200.tif 000014
【図１３】
2020013200.tif 000015
【図１４】
2020013200.tif 000016